【事件の表示】
　特願２００２−　９５６４２「紙おむつ」拒絶査定不服審判事件〔平成１５年１０月１４日出願公開、特開２００３−２９０２７８〕について、次のとおり審決する。
【結　論】
　本件審判の請求は、成り立たない。
【理　由】
１．手続の経緯
　本願は、平成１４年３月２９日の出願であって、平成１９年９月４日付で拒絶査定がなされ、これに対し、平成１９年１０月１１日に拒絶査定に対する審判請求がなされ、同年１１月７日付で明細書についての手続補正がなされたものである。
　
２．平成１９年１１月７日付の手続補正についての補正却下の決定
［補正却下の決定の結論］
　平成１９年１１月７日付の手続補正を却下する。
［理由］
２−１．本件補正
　本件補正は、平成１８年８月７日付で補正された明細書の特許請求の範囲の【請求項１】に記載された
「透液性シートと、不透液性シートと、前記透液性シートと前記不透液性シートとの間に介装される吸収体と、を有してなる紙おむつ本体の前記吸収体両側部のそれぞれに沿って設けられるギャザーシートを含んで構成される紙おむつにおいて、
　前記ギャザーシートの長手方向の少なくとも一方の端部には、前記紙おむつ本体の外側に折り返されて当該ギャザーシート同士が固着された外側折り返し固定部と、前記外側折り返し固定部の少なくとも一部と前記透液性シートとが固着された固着部と、が形成され、
　前記固着部は、前記外側折り返し固定部よりも短く形成されたことを特徴とする紙おむつ。」を、
「透液性シートと、不透液性シートと、前記透液性シートと前記不透液性シートとの間に介装される吸収体と、を有してなる紙おむつ本体の前記吸収体両側部のそれぞれに沿って設けられるギャザーシートを含んで構成される紙おむつにおいて、
　当該紙おむつは、パンツ型の紙おむつであり、
　前記ギャザーシートの長手方向の少なくとも一方の端部には、前記紙おむつ本体の外側に折り返されて当該ギャザーシート同士が固着された外側折り返し固定部と、前記外側折り返し固定部の少なくとも一部と前記透液性シートとが固着された固着部と、が形成され、
　前記固着部は、前記外側折り返し固定部よりも短く形成され、
　前記ギャザーシートは、前記不透液性シート側に固着されており、前記吸収体の側方で前記透液性シート側に回り込むようにして先端が当該透液性シートの上方に延出していることを特徴とする紙おむつ。」
とする補正（以下、「本件補正」という。）を含んでいる。
　
２−２．補正に係る事項が、願書に最初に添付した明細書または図面に記載した事項の範囲内のものであったか否かについて
ａ．（外側折り返し固定部の長さについて）
　本願の願書に最初に添付した明細書（以下、「当初明細書」という。）の特許請求の範囲の記載は以下の通りである。
「【請求項１】
　透液性シートと、不透液性シートと、前記透液性シートと前記不透液性シートとの間に介装される吸収体と、を有してなる紙おむつ本体の前記吸収体両側部のそれぞれに沿って設けられるギャザーシートを含んで構成される紙おむつのギャザー構造において、
　前記ギャザーシートの長手方向の少なくとも一方の端部には、前記紙おむつ本体の外側に折り返されて当該ギャザーシート同士が固着された外側折り返し固定部と、前記外側折り返し固定部の少なくとも一部と前記透液性シートとが固着された固着部と、が形成され、
　前記外側折り返し固定部の長さは、当該ギャザーシートの長手方向の長さの３０％以上、且つ、７０％以下であることを特徴とする紙おむつのギャザー構造。
　【請求項２】
　前記固着部は、前記外側折り返し固定部よりも短く形成され、且つ、前記固着部の長手方向の長さは、前記ギャザーシートの長手方向における長さの１０％以上、４０％以下であることを特徴とする請求項１に記載の紙おむつのギャザー構造。
　【請求項３】
　前記外側折り返し固定部は、ギャザーシートの長手方向における腹側と背側との両方の端部に形成され、
　前記腹側の外側折り返し固定部長さ／前記背側の外側折り返し固定部の長さが、１／３〜１／１であることを特徴とする請求項１または２に記載の紙おむつのギャザー構造。
　【請求項４】
　請求項１〜３のいずれかに記載のギャザー構造を備えた紙おむつ。」
　そして、当初明細書の段落番号【００２１】には、外側折返し部の長さについて、
「外側折り返し固定部１４ｇの長さ（Ａ）と、固着部１４ｈの長さ（Ｂ）に関して、さらに詳細に説明する。
　外側折り返し固定部１４ｇは、長手方向における長さが短か過ぎると、ギャザーシート１４の先端部１４ｄが吸収体１３の内側方向に倒れ込み易くなる。また長過ぎると、延出部１４ｂが十分な高さに起立することができない。一方、固着部１４ｈの長さが長すぎる場合も、十分な起立高さにすることができなくなり、また固着部１４ｈを設けない場合、延出部１４ｂが吸収体１３の外側に倒れてしまう。
　これらを鑑み、外側折り返し固定部１４ｇの長さ（腹側端部１４ｅと、背側端部１４ｆとに設ける外側折り返し固定部１４ｇの合計）の範囲としては、ギャザーシート１４の長手方向の長さの３０％以上、７０％以下とする。
　ここで、外側折り返し固定部１４ｇの範囲を規定した理由を述べる。
　外側折り返し固定部１４ｇの長さの異なるいくつかの紙おむつを被験者に着用させて調査した結果、外側折り返し固定部１４ｇの長さが、ギャザーシート１４の長手方向の長さの３０％よりも短いと、ギャザーシートが被験者の背側部において臀部間に挟まれたり、被験者の腹側部で排尿部位を覆ったり、ギャザーシートから性器が外れたりしてしまうからである。一方、外側折り返し固定部１４ｇの長さが、ギャザーシート１４の長手方向の長さの７０％よりも長いと、立ち上がりがなくなり、排尿部位周辺で漏れ防止の機能を十分に果たせなくなり、排泄物が漏れてしまうからである。またこのように漏れの心配があると、使用中の快適さも低下してしまうからである。」
と記載されている。
　以上の記載から、当初明細書に記載された紙おむつは、外側折り返し固定部の長さが、ギャザーシートの長手方向の長さの３０％以上、且つ、７０％以下であるギャザー構造を備えたものに特定されており、ギャザーシートの折り返し固定部の長さが上記範囲外のものは当初明細書には記載されていなかったといえる。
　これに対し、補正後の特許請求の範囲の請求項１（したがってこれを引用する全ての請求項）の記載では、上記の外側折り返し固定部の長さの、ギャザーシートの長手方向の長さに対する割合が特定されておらず、補正後の請求項１に係る発明は、当初明細書に記載されていなかったギャザーシート構造を備えた紙おむつまで含むことになる。
ｂ．（ギャザーシートが、不透液性シート側に固着されている点について）
　補正後の請求項１の、「前記ギャザーシートは、前記不透液性シート側に固着されており、前記吸収体の側方で前記透液性シート側に回り込むようにして先端が当該透液性シートの上方に延出している」の記載の根拠として請求人は明細書の段落番号【００１７】の記載を示しているが、当初明細書の当該段落番号【００１７】には、「ギャザーシート１４，１４は、トップシート１１とバックシート１２とで覆われた吸収体１３の長手方向（腹側部から背側部方向）の両側にそれぞれ備えられる。ギャザーシート１４，１４の幅方向（高さ方向）の一方の端部（下端部１４ａとする）は、バックシート１２側に固着されており、吸収体１３の側方でトップシート１１側に回り込むようにして先端がトップシート１１の上方に延出（延出部１２ｂとする）している。」と、ギャザーシートの幅方向の一方の端部がバックシート（すなわち不透液性シート）側に固着されるものが記載されているが、これに対し、上記補正後の請求項１の記載は、不透液性シート側に固着されるギャザーシートの部位を特定していないので、当初明細書に記載された「ギャザーシートの幅方向（高さ方向）の一方の端部（下端部）」以外の如何なる部分をバックシート側に固定するものをも含むことになる。
　以上のとおりであるから、本件補正の上記ａ、ｂに係る補正事項は、願書に最初に添付した明細書に記載した事項の範囲内のものということはできない。
　したがって、本件補正は、願書に最初に添付した明細書又は図面に記載した事項の範囲内ではない事項を含むものであるので、特許法第１７条の２第３項の規定に違反する。
　
２−３．補正後の発明が出願の際に独立して特許を受けることができるか否かについて
　本件補正後の、請求項１に記載された「当該紙おむつは、パンツ型の紙おむつであり」及び「前記ギャザーシートは、前記不透液性シート側に固着されており、前記吸収体の側方で前記透液性シート側に回り込むようにして先端が当該透液性シートの上方に延出している」という事項は、補正前の請求項１に記載された「紙おむつ」及び「ギャザーシート」を技術的に限定して特定しようとするであり、特許請求の範囲の減縮を目的とする補正ということができるので、補正後の請求項１に記載された事項によって特定される発明が特許出願の際独立して特許を受けることができるものであるか（平成１８年法律第５５号改正附則第３条第１項によりなお従前の例とされる同法による改正前の特許法第１７条の２第５項において準用する同法第１２６条第５項の規定に適合するか）について検討する。
　
２−３−１．本願補正発明
　補正後の本願の請求項１に係る発明は、上記補正後の特許請求の範囲の請求項１に記載された事項により特定される以下のとおりのものである（以下「本願補正発明」という。）。
「透液性シートと、不透液性シートと、前記透液性シートと前記不透液性シートとの間に介装される吸収体と、を有してなる紙おむつ本体の前記吸収体両側部のそれぞれに沿って設けられるギャザーシートを含んで構成される紙おむつにおいて、
　当該紙おむつは、パンツ型の紙おむつであり、
　前記ギャザーシートの長手方向の少なくとも一方の端部には、前記紙おむつ本体の外側に折り返されて当該ギャザーシート同士が固着された外側折り返し固定部と、前記外側折り返し固定部の少なくとも一部と前記透液性シートとが固着された固着部と、が形成され、
　前記固着部は、前記外側折り返し固定部よりも短く形成され、
　前記ギャザーシートは、前記不透液性シート側に固着されており、前記吸収体の側方で前記透液性シート側に回り込むようにして先端が当該透液性シートの上方に延出していることを特徴とする紙おむつ。」
　
２−３−２．引用文献等
　原査定の拒絶の理由に引用された特開平６−２０９９６７号公報（以下、「引用文献１」という。）には、「二重漏れ防止手段を有する吸収用品」に関して、以下の事項が図面とともに記載されている。
（ア）「前当て部分と、後当て部分と、前当て部分と後当て部分とを接続している股当て部分とを有し、股当て部分が対向する縦方向の側部分を有する吸収用品であって、
　液体透過性の身体側ライナと、
　外側カバーと、
　身体側ライナと外側カバーとの間に配置されている吸収芯と、
　股当て部分の対向する縦方向の側部分に設けられている１対の弾力を与えられた縦方向に伸びる脚カフスと、
　前当て部分から後当て部分まで縦方向に伸び、内縁と外縁とを有する１対の閉込めフラップを具備し、
　上記閉込めフラップは、股当て部分、前当て部分及び後当て部分においては、内縁が脚カフスの内側において身体側ライナに結合され、前当て部分または後当て部分の少なくとも一方においては、内縁が身体側ライナに結合されている点と外縁が身体側ライナに結合されている点との間の最短距離が、閉込めフラップの幅より小さくなるように身体側ライナに結合され、それによって閉込めフラップの一部分にＣ字形の折りが形成されるようにしたことを特徴とする吸収用品。」（【特許請求の範囲】【請求項１９】）
（イ）「外向きのＣ字形の折りが形成されている請求項１９に記載の吸収用品。」（【特許請求の範囲】【請求項３３】）
（ウ）「本発明は、身体滲出物を吸収するように設計された吸収用品に関する。以下に本発明を、幼児の下半身に装着させるようになっている幼児用使い捨ておむつに関して説明するが、本発明は成人の失禁用ブリーフ、訓練パンツ、女性の生理用品等のような他の吸収用品にも等しく適用されることを理解されたい。」（段落番号【０００５】の記載参照）
（エ）「外側カバー１２は、液体透過性または液体不透過性の何れかである材料からなることができる。一般的には、外側カバー１２は、実質的に液体を透過させない材料製であることが好ましい。」（段落番号【０００７】の記載参照）
（オ）「図９、１０、及び１１は、Ｃ字折りが外側に向いている実施例を示す。…（中略）…図１０から明白なように、折り線４８は、閉込めフラップ３４の内向き側を接着手段４６によって身体側ライナ１４に接着し、閉込めフラップ３４の外向き側をＣ字折り接着手段５０によってそれ自体及び身体側ライナ１４の両者または何れか一方に接着することによって形成させる。…（中略）…閉込めフラップ３４は身体側ライナ１４に接着されているから、外縁３８を閉込めフラップ３４に接着すると、それは間接的に身体側ライナ１４に接着されることになる。従ってこの応用の目的から、閉込めフラップ３４が身体側ライナ１４に接着されている点において外縁３８を閉込めフラップ３４に接着することは、外縁３８を身体側ライナ１４に接着してあるものと考えられる。」（段落番号【００１７】の記載参照）
（カ）【図９】【図１０】及び【図１１】には、閉込めフラップが吸収芯１６の両側部のそれぞれに沿って設けられる態様が、【図９】には、折り線４８を有する閉込めフラップ３４の長手方向端部に前接着領域４２及び後接着領域４４が形成されていることが、また、上記前接着領域における横方向断面図と認められる【図１０】には、折り線４８により外側に折り返され、内向き側と外向き側（すなわちフラップ同士）がＣ字折り接着手段５０で接着された閉込めフラップを接着手段４６により吸収芯１６上で身体側ライナー１４に接着されている態様が示されている。
　以上の記載から、引用文献１には、以下の発明が記載されているということができる（以下、「引用発明」という。）
「液体透過性の身体側ライナと、液体不透過性の外側カバーと、身体側ライナと外側カバーとの間に介装される吸収芯とを有し、前記吸収芯両側部のそれぞれに沿って設けられる一対の閉込めフラップを具備する吸収用品において、
　当該吸収用品は失禁用ブリーフや訓練パンツを含むものであり、
　前記閉じ込めフラップの長手方向の端部には、吸収体の外側に折り返されて当該閉じ込めフラップ同士がＣ字折り接着手段で接着された部分と、該部分と身体側ライナが接着された部分とが形成されていることを特徴とする吸収用品」
　また、同じく原査定の拒絶の理由に引用された特開２００１−９５８４４号公報（以下、「引用文献２」という。）には、「生理用ナプキン」に関して以下の事項が図面とともに記載されている。
（キ）「使用面側から体液を受け入れて内部に保持する吸収要素と、この裏面側にあって前記吸収要素から裏面側への体液の漏れを防止する漏れ防止シートと、少なくとも製品の長手方向中間において、製品の両側部にあって、体液の透過を実質的に許さないギャザーカフスシートに対して弾性伸縮部材を有し、製品の装着時その弾性伸縮部材の収縮力により使用者の肌側に起立するギャザーカフスとを備え、
　前記ギャザーカフスシートは、長手方向前後が製品の使用面側に固定され、これらの固定部分の間がそれぞれ製品の使用面側に非固定である、幅方向外方に向かう第１自由部とこれから折り返されて幅方向内方に向かう第２自由部とを有し、前記第２自由部に当接用弾性伸縮部材が固定され、前記第１自由部の前後方向延長部分が、製品の使用面側に固定され、前記第２自由部の前後方向延長部分が前記第１自由部の前後方向延長部分に重ね合わせ状態で固定され、前後の少なくとも一方の端部において、製品の長手方向中央からの基準で、前記第１自由部の延長部分の固定開始位置が、前記第２自由部の前後方向延長部分の前記第１自由部への重ね合わせ固定開始位置より、製品の長手方向端縁側に偏位している、
　ことを特徴とする生理用ナプキン。」（【特許請求の範囲】【請求項４】）
（ク）「ギャザーカフス２０を構成するために、ギャザーカフスシート２１は、製品の長手方向両端部のみにおいて、第１折り返し部２１Ｃが、製品の使用面側に、実施の形態では基部２１Ａの表面に、ホットメルト接着剤などにより固定されている…（中略）…しかも、第２折り返し部２１Ｄが、重合部２１Ｅを介して、重合部２１Ｆ及び第１折り返し部２１Ｃにホットメルト接着剤などにより重ね合わせ状態で固定されている。…（中略）…他方、図４に明示されているように、製品の長手方向両端部間においては、第１折り返し部２１Ｃが、製品の使用面側に非固定であり、かつ、第２折り返し部２１Ｄが第１折り返し部２１Ｃに非固定とされ、外方に向かう第１自由部Ｘとこれから折り返されて幅方向内方に向かう第２自由部Ｙとが構成されている。」（段落番号【００３０】〜【００３１】の記載参照）
（ケ）「前後の少なくとも一方の端部、好適には両端部において、製品の長手方向中央からの基準で、第１自由部Ｘの延長部分の固定開始位置が、第２自由部Ｙの前後方向延長部分の第１自由部Ｘへの重ね合わせ固定開始位置より、製品の長手方向端縁側に偏位していることが望ましい。すなわち、図１に図示するように、第１自由部Ｘの収縮有効長さＤ１が、第２自由部Ｙの収縮有効長さＤ２より長い方が望ましい。」（段落番号【００３８】の記載参照）
（コ）「図１に図示するように、第１自由部Ｘの収縮有効長さＤ１が、第２自由部Ｙの収縮有効長さＤ２より長くすることができる。これにより、第１自由部Ｘの収縮有効長さＤ１範囲が長いので、第１自由部Ｘの起立高さが高い（強い）ものとなり、これに対して第２自由部Ｙの収縮有効長さＤ２範囲は短いので、第２自由部Ｙの起立高さは小さい（弱い）ものとなる。したがって、第１自由部Ｘは十分な起立高さを有する体液阻止用ポケットを形成し、これに対して、第２自由部Ｙは起立高さが小さい（弱い）状態で、肌に接触するようになるから、第２自由部Ｙはほぼ肌と面接触するようになり、かつ柔らかいフィットとなる。」（段落番号【００４３】の記載参照）
　上記の記載から、引用文献２には、吸収用品である生理用ナプキンにおいて、製品の両側で使用時に立ち上がる幅方向に折り返されたギャザーカフスをその長手方向両端部で固定するに際して、第１自由部Ｘ（の延長部）の製品上への固着の開始位置を第２自由部Ｙ（の延長部）の第１自由部Ｘ（の延長部）への固定の開始位置よりも製品の長手方向に偏位させること、すなわち、折り返されたギャザカフス同士の固定長さより該固定されたギャザーカフスの製品上への固着長さを短くすること、及びそれによって使用時にギャザーカフスの第１自由部Ｘの製品からの起立高さを大きくするとともに第２自由部Ｙの起立を弱くして着用者へのフィット性を向上することが示されているということができる。
　さらに、本願出願前に頒布された刊行物である特開２００１−３４０３８０号公報（以下、「引用文献３」という。）には、パンツ型紙おむつに適用することのできる立体ギャザーの構造として、立体ギャザーを形成するシートの幅方向の端部を吸収体の裏面に延在して固定し、吸収体の側方で透液性表面シート側に回り込むようにして先端が当該透液性表面シートの上方に延出しているものが記載されている（段落番号【００２９】〜【００３０】及び【図７】の記載参照）。
　
２−３−３．対比
　本願補正発明と引用発明とを対比する。
　引用発明の「液体透過性の身体側ライナ」、「液不透過性の外側カバー」、「吸収芯」、及び「閉込めフラップ」は、それぞれ、本願補正発明の「透液性シート」、「不透液性シート」、「吸収体」及び「ギャザーシート」に相当し、引用発明の「吸収用品」は、上記の構成要件を備えたパンツ型の失禁用ブリーフや訓練パンツを含むので本願補正発明でいう「パンツ型紙おむつ」に対応するということができる。
　また、引用発明の閉込めフラップの長手方向端部における閉込めフラップ同士がＣ字折り接着手段で接着された部分及び該接着部分と身体側ライナが接着された部分が、それぞれ、本願補正発明の「外側折返し固定部」及び「固着部」に相当する。
　してみれば両者の（本願補正発明の表現形式による）一致点、及び相違点は、以下のとおりである。
［一致点］「透液性シートと、不透液性シートと、前記透液性シートと前記不透液性シートとの間に介装される吸収体と、を有してなる紙おむつ本体の前記吸収体両側部のそれぞれに沿って設けられるギャザーシートを含んで構成されるパンツ型の紙おむつであって、前記ギャザーシートの長手方向の少なくとも一方の端部には、前記紙おむつ本体の外側に折り返されて当該ギャザーシート同士が固着された外側折り返し固定部と、前記外側折り返し固定部の少なくとも一部と前記透液性シートとが固着された固着部とが形成されているパンツ型の紙おむつ。」である点。
［相違点１］本願補正発明において、固着部は、外側折り返し固定部よりも短く形成されているのに対し、引用発明においては、閉込めフラップ同士がＣ字折り接着手段で接着された部分及び該接着部分と身体側ライナが接着された部分との接着長さについて規定されていない点
［相違点２］本願補正発明において、ギャザーシートは、不透液性シート側に固着され、吸収体の側方で前記透液性シート側に回り込むようにして先端が当該透液性シートの上方に延出しているとされるのに対し、引用発明の閉じ込めフラップは、引用文献１の【図１０】及び【図１１】を参照すれば、吸収芯側部の身体側ライナに固着されているものと認められる点。
　
２−３−４．判断
　そこで上記の相違点について検討する。
［相違点１］について　
　引用文献２には、生理用ナプキンの、使用時に製品の両側で立ち上がる幅方向に折り返されたギャザーカフスにおいて、本願補正発明の「固着部」に相当するギャザーカフスの製品上への固着部の長さを、本願発明の「外側折返し固定部」に相当するギャザーカフス同士の固定部の長さより短くすること、及び、それによって、ギャザーカフスの起立性と着用者へのフィット性を向上せしめることが記載されいる。
　そして、引用文献２の生理用ナプキンとパンツ型紙おむつは吸収性物品として共通しており、生理用ナプキン及び紙おむつにおける共通の技術的事項を相互に置換して適用することは本願出願前普通に行われている事項であるところ、引用文献２に記載された生理用ナプキンのギャザーカフスが本願補正発明の「ギャザーシート」及び引用発明の「閉込めフラップ」と共通の機能を具備するものであることも当業者に自明の事項であるので、上記引用文献２に記載されたギャザーカフスの固着部及び固定部の長さに係る事項を引用発明に適用することは当業者が容易になし得る事項であり、それによって生じる作用・効果も当業者が容易に予測しうる程度のものと認められる。
［相違点２］について
　引用文献３には、上記の通り、パンツ型紙おむつに適用することのできる立体ギャザーの構造として、立体ギャザーを形成するシートの幅方向の端部を吸収体の裏面に延在して固定し、吸収体の側方で透液性表面シート側に回り込むようにして先端が当該透液性表面シートの上方に延出しているものが記載されており、引用文献３に記載された「立体ギャザー」に相当する引用発明の「閉じ込めフラップ」に、上記引用文献３に記載された技術的事項を適用して本願補正発明のギャザーシートのようにすることも当業者が容易になし得る事項である。
　
２−３−４．むすび
　以上のとおりであるから、本件補正後の請求項１に記載された事項によって規定される発明は、上記引用発明及び引用文献２及び３に記載された発明に基づいて当業者が容易に発明をすることができたものであり、特許法第２９条第２項の規定により特許出願の際に独立して特許を受けることのできないものである。
　したがって　本件補正は、平成１８年法律第５５号改正附則第３条第１項によりなお従前の例によるとされる同法による改正前の特許法第１７条の２第５項において準用する同法第１２６条第５項の規定に違反する
　
２−４．まとめ
　以上のとおり、本件補正は、特許法第１７条の２第３項の規定、及び平成１８年法律第５５号改正附則第３条第１項によりなお従前の例によるとされる同法による改正前の特許法第１７条の２第５項において準用する同法第１２６条第５項の規定に違反するものであるので、同法第１５９条第１項において読み替えて準用する同法第５３条第１項の規定により却下すべきものである。
　
３．本願発明について
３−１．本願発明
　平成１９年１１月７日付の手続補正は上記のとおり却下されたので、本願の請求項１乃至４に係る発明は、平成１８年８月７日付で補正された明細書の特許請求の範囲の請求項１乃至４に記載された事項により特定されるとおりのものであるところ請求項１の記載は以下のとおりである（以下、これにより特定される発明を「本願発明」という。）。
「透液性シートと、不透液性シートと、前記透液性シートと前記不透液性シートとの間に介装される吸収体と、を有してなる紙おむつ本体の前記吸収体両側部のそれぞれに沿って設けられるギャザーシートを含んで構成される紙おむつにおいて、
　前記ギャザーシートの長手方向の少なくとも一方の端部には、前記紙おむつ本体の外側に折り返されて当該ギャザーシート同士が固着された外側折り返し固定部と、前記外側折り返し固定部の少なくとも一部と前記透液性シートとが固着された固着部と、が形成され、
　前記固着部は、前記外側折り返し固定部よりも短く形成されたことを特徴とする紙おむつ。」
　
３−２．引用文献
　原査定の拒絶の理由に引用された特開平６−２０９９６７号公報（引用文献１）及び特開２００１−９５８４４号公報（引用文献２）並びにそれらの記載事項は、前記「２−３−２．引用文献」に記載したとおりである。
　
３−３．対比・判断
　本願発明は、前記「２−２−１．本願補正発明」に記載した本願補正発明から、「当該紙おむつは、パンツ型の紙おむつであり」という限定事項、及び、「前記ギャザーシートは、前記不透液性シート側に固着されており、前記吸収体の側方で前記透液性シート側に回り込むようにして先端が当該透液性シートの上方に延出している」という限定事項を省いたものであり、他の構成については本願補正発明と差異がない。
　してみると、前記「２−２−３．対比」において検討した対応関係に基づけば、本願発明と引用文献１に記載された発明とは、前記「［相違点１］本願補正発明において、固着部は、外側折り返し固定部よりも短く形成されているのに対し、引用発明においては、閉じ込めフラップ同士がＣ字折り接着手段で接着された部分及び該接着部分と身体側ライナが接着された部分との接着長さについて規定されていない点」でのみ相違しており、他の点では一致している。
　そして、上記の［相違点１］については、上記「２−３−４．判断」の「［相違点１］について」で述べた通りであり、引用文献２に記載されたギャザーカフスの固着部及び固定部の長さに係る事項を引用文献１に記載された発明に適用することは当業者が容易になし得る事項である。
　したがって、本願発明は、引用文献１及び２に記載された発明に基づいて当業者が容易に発明をすることができたものであり、特許法第２９条第２項の規定により特許を受けることができない。
　
３−４．むすび
　以上のとおり、本願請求項１に係る発明は、特許法第２９条第２項の規定により特許を受けることができないので、他の請求項に係る発明を検討するまでもなく、本願は拒絶すべきものである。
　よって、結論のとおり審決する。